(57)【要約】  アンビエント照明エレメントを制御するためのアンビエント照明データを決定することを含むアンビエント照明エレメントを制御する方法である。方法は、対応するビデオコンテンツの部分と対応するオーディオコンテンツの部分とに基づく組み合わせアンビエント照明データを処理することを含む。処理した組み合わせアンビエント照明データは、その後、アンビエント照明エレメントを制御するために用いられてもよい。一実施形態においては、組み合わせアンビエント照明データは、組み合わせアンビエント光スクリプトとして受信される。ビデオに基づくアンビエント照明データ及びオーディオに基づくアンビエント照明データは、組み合わせアンビエント照明データを生成するために組み合わせられてもよい。ビデオ及びオーディオに基づくアンビエント照明データを組み合わせることには、オーディオに基づくアンビエント照明データによりビデオに基づくアンビエント照明データを調節することが含まれる。ビデオコンテンツ及び／又はオーディオコンテンツは、ビデオ及び／又はオーディオに基づくアンビエント照明データを生成するために解析されてもよい。
2009531825.tif 000002
【特許請求の範囲】
【請求項１】
アンビエント照明エレメントを制御する方法であって、
ビデオコンテンツの部分と対応するオーディオコンテンツの部分とに基づく組み合わせアンビエント照明データを処理するステップと、
前記処理した組み合わせアンビエント照明データに基づいて、アンビエント照明エレメントを制御するステップとを有する、方法。
【請求項２】
前記組み合わせアンビエント照明データを組み合わせアンビエント光スクリプトとして受信するステップを有する、請求項１に記載の方法。
【請求項３】
ビデオに基づくアンビエント照明データを受信するステップと、
オーディオに基づくアンビエント照明データを受信するステップと、
前記組み合わせアンビエント照明データを生成するために、前記受信したビデオに基づくアンビエント照明データと前記受信したオーディオに基づくアンビエント照明データとを組み合わせるステップとを有する、請求項１に記載の方法。
【請求項４】
前記組み合わせるステップは、前記オーディオに基づくアンビエント照明データにより前記ビデオに基づくアンビエント照明データを調節するステップを有する、請求項３に記載の方法。
【請求項５】
前記ビデオに基づくアンビエント照明データを生成するために、前記ビデオコンテンツを解析するステップを有する、請求項３に記載の方法。
【請求項６】
前記ビデオコンテンツを解析するステップは、複数のカラーポイントを前記ビデオに基づくアンビエント照明データとして決定するステップを有する、請求項５に記載の方法。
【請求項７】
前記オーディオに基づくアンビエント照明データを生成するために、前記オーディオコンテンツを解析するステップを有する、請求項３に記載の方法。
【請求項８】
前記オーディオコンテンツを解析するステップは、前記対応するオーディオコンテンツの部分の周波数、周波数範囲、及び振幅の少なくともいずれか１つを解析するステップを有する、請求項７に記載の方法。
【請求項９】
前記オーディオコンテンツを解析するステップは、オーディオに基づくアンビエント照明データの時間的な部分を生成するために、前記オーディオコンテンツの時間的な部分を解析するステップを有する、請求項７に記載の方法。
【請求項１０】
前記オーディオコンテンツを解析するステップは、オーディオに基づくアンビエント照明データの位置的な部分を生成するために、前記オーディオコンテンツの位置的な部分を解析するステップを有する、請求項７に記載の方法。
【請求項１１】
前記組み合わせるステップは、
前記受信したビデオに基づくアンビエント照明データに基づいてカラーポイントを決定するステップと、
前記カラーポイントのダイナミクスを調整するために前記オーディオに基づくアンビエント照明データを利用するステップとを有する、請求項３に記載の方法。
【請求項１２】
アンビエント照明エレメントを制御するように構成されるコンピュータ読み取り可能な媒体上で具体化されたアプリケーションであって、
ビデオコンテンツの部分とオーディオコンテンツの部分とに対応する組み合わせアンビエント照明データを処理する部分と、
前記処理した組み合わせアンビエント照明データに基づいて、アンビエント照明エレメントを制御する部分とを有する、アプリケーション。
【請求項１３】
ビデオに基づくアンビエント照明データを受信する部分と、
オーディオに基づくアンビエント照明データを受信する部分と、
前記組み合わせアンビエント照明データを生成するために、前記受信したビデオに基づくアンビエント照明データと前記受信したオーディオに基づくアンビエント照明データとを組み合わせる部分とを有する、請求項１２に記載のアプリケーション。
【請求項１４】
前記ビデオに基づくアンビエント照明データを生成するために、前記ビデオコンテンツを解析する部分を有し、
前記ビデオコンテンツを解析する部分は、カラーポイントを前記ビデオに基づくアンビエント照明データとして決定する、請求項１２に記載のアプリケーション。
【請求項１５】
前記オーディオに基づくアンビエント照明データを生成するために、前記オーディオコンテンツを解析する部分を有し、
前記オーディオコンテンツを解析する部分は、オーディオに基づくアンビエント照明データの部分を前記オーディオに基づくアンビエント照明データとして生成するために、前記オーディオコンテンツの部分を解析する、請求項１２に記載のアプリケーション。
【請求項１６】
オーディオに基づくアンビエント照明データの前記部分は、位置的及び時間的の少なくともいずれか１つに割り当てられる、請求項１５に記載のアプリケーション。
【請求項１７】
前記オーディオコンテンツを解析する部分は、前記対応するオーディオコンテンツの部分の周波数、周波数範囲、及び振幅の少なくともいずれか１つを解析する、請求項１５に記載のアプリケーション。
【請求項１８】
前記ビデオに基づくアンビエント照明データに基づいてカラーポイントを決定する部分を有し、
前記組み合わせる部分は、前記カラーポイントのダイナミクスを調整するために前記オーディオに基づくアンビエント照明データを利用する、請求項１２に記載のアプリケーション。
【請求項１９】
アンビエント照明エレメントを制御するデバイスであって、
メモリと、
前記メモリに結合されたプロセッサとを有し、
前記プロセッサは、
ビデオに基づくアンビエント照明データを生成するためにビデオコンテンツを解析し、
オーディオに基づくアンビエント照明データを生成するためにオーディオコンテンツを解析し、
組み合わせアンビエント照明データを生成するために、前記ビデオに基づくアンビエント照明データと前記オーディオに基づくアンビエント照明データとを組み合わせる、デバイス。
【請求項２０】
前記プロセッサは、
カラーポイントを前記ビデオに基づくアンビエント照明データとして生成するために前記ビデオコンテンツを解析し、
前記カラーポイントを調節するために前記オーディオに基づくアンビエント照明データを利用する、請求項１９に記載のデバイス。
【請求項２１】
前記プロセッサは、
前記オーディオに基づくアンビエント照明データを生成するために、前記オーディオコンテンツの時間的及び位置的の少なくともいずれか１つの部分を解析する、請求項１９に記載のデバイス。
【発明の詳細な説明】
【技術分野】
【０００１】
本願は、２００６年３月３１日に出願された米国特許出願６０／７８８，４６７の利益を享受する。
【０００２】
本システムは、ビデオ及びオーディオコンテンツストリームの特性により調節されるアンビエント照明効果に関する。
【背景技術】
【０００３】
コーニンクレッカ  フィリップス  エレクトロニクス  エヌ  ヴィ（Koninklijke Philips Electronics N.V. ; フィリップス）及びその他の企業は、標準的なホーム又はビジネスアプリケーションに関するビデオコンテンツを引き立たせるために、周囲（ambient）又は周辺（peripheral）の照明を変える手段を開示している。ビデオディスプレイ又はテレビジョンとともに提供され、ビデオコンテンツによって調節されたアンビエント照明（周囲照明；ambient lighting）は、視聴者の疲労を低減し、経験の深さ及びリアリズムを向上させることが知られている。現在、フィリップスは、アンビエント照明と一体となるフラットパネルテレビジョンを含む一連のテレビジョンを持っており、テレビジョンの周りのフレームは、テレビジョンの近く又は支持する後壁にアンビエント光（周辺光）を投影するアンビエント光源（ambient light source）を含む。更に、テレビジョンとは別個の光源も、同様に制御されたアンビエント光を生成するために、ビデオコンテンツに関連して調節される。
【０００４】
単一色の光源の場合においては、光源の調節は、光源の明るさの調節だけでよい。多色の光を生成することが可能な光源は、広範囲に選択可能なポイント当たりの色の範囲を含むレンダリングされたビデオに基づいて、多色の光源の多くの特性を調節する機会を与える。
【発明の開示】
【発明が解決しようとする課題】
【０００５】
本システムの目的は、従来技術における欠点を克服すること、及び／又はアンビエント照明体験によるより次元的な熱中（dimensional immersion）を提供することである。
【課題を解決するための手段】
【０００６】
本システムは、アンビエント照明エレメントを制御するためのアンビエント照明データを決定する方法、プログラム、及びデバイスを提供する。方法は、対応するビデオコンテンツの部分及び対応するオーディオコンテンツの部分に基づく組み合わせアンビエント照明データを処理することを含む。処理した組み合わせアンビエント照明データは、その後、アンビエント照明エレメントの制御に用いられてもよい。一実施形態においては、組み合わせアンビエント照明データは、アンビエント光スクリプトとして、又は別個のビデオ及びオーディオに基づくアンビエント光スクリプトとして受信されてもよい。
【０００７】
ビデオに基づくアンビエント照明データ及びオーディオに基づくアンビエント照明データは、組み合わせアンビエント照明データを生成するために組み合わせられてもよい。ビデオ及びオーディオに基づくアンビエント照明データを組み合わせることには、オーディオに基づくアンビエント照明データによりビデオに基づくアンビエント照明データを調節することが含まれてもよい。
【０００８】
一実施形態においては、ビデオコンテンツ及び／又はオーディオコンテンツは、ビデオ及び／又はオーディオに基づくアンビエント照明データを生成するために解析されてもよい。ビデオコンテンツを解析することには、ビデオに基づくアンビエント照明データの時間的な部分を生成するためにビデオコンテンツの時間的な部分を解析することが含まれてもよい。この実施形態においては、ビデオに基づくアンビエント照明データの時間的な部分は、ビデオに基づくアンビエント光スクリプトをビデオに基づくアンビエント照明データとして生成するために組み合わせられてもよい。
【０００９】
オーディオコンテンツは、オーディオに基づくアンビエント照明データを生成するために解析されてもよい。オーディオコンテンツを解析することには、対応するオーディオコンテンツの部分の周波数、周波数範囲、及び振幅の少なくとも１つを解析することが含まれてもよい。オーディオコンテンツの解析は、ｂｐｍ（beats per minute）、オーディオコンテンツのメジャー及びマイナーキー並びに絶対キーのようなキー、強さ、並びに／又はクラシカル、ポップ、ディスカッション、ムービーのような分類を含むオーディオコンテンツの他の特性を識別し、利用してもよい。更に、データは、自己のオーディオから分離して解析される一方で、オーディオデータに関連付けられるメタデータ（meta-data）のように、オーディオデータに関連付けられてもよい。ビデオ及びオーディオに基づくアンビエント照明データを組み合わせることには、ビデオに基づくアンビエント照明データを利用して決定されたカラーポイントのダイナミクス（dynamics）を調整するためにオーディオに基づくアンビエント照明データを利用することが含まれてもよい。
【００１０】
本発明は、添付の図面を参照する例示の態様により、更に詳細に説明される。
【発明を実施するための最良の形態】
【００１１】
以下は、一例としての実施形態の説明であって、以下の図面を併用した場合に前述した特徴及び利点や更なる特徴及び利点を明示するだろう。以下の説明においては、限定よりもむしろ説明のために、詳細な説明では、例示のための特定のアーキテクチャ、インタフェース、テクニック等について説明されている。しかしながら、これらの詳細な説明から離れた他の実施形態も添付の特許請求の範囲の範囲内にあることが当業者によって理解されることは明らかであろう。更に、明確さの目的で、既知のデバイス、回路、及び方法の詳細な説明は、本システムの説明を不明瞭にさせないために省略される。
【００１２】
図面は例示目的のために含まれるものであって本システムの範囲を表すものではないことが明白に理解されるべきである。
【００１３】
図１は、本システムの実施形態によるフローダイアグラム１００を示している。動作１１０において、処理を開始する。その後、動作１２０において、ビデオコンテンツに関連したアンビエント照明データ（以下、ビデオに基づくアンビエント照明データという）を受信する。参照により全ての内容について本願に組み込まれ、全てが出願人に譲渡されて米国特許出願６０／７２２，９０３及び６０／８２６，１１７の利益を享受する、２００６年９月２７日に出願された国際特許出願番号ＩＢ２００６／０５３５２４（弊社整理番号００３６６３）において開示されたように、システムの内部又は外部で生成される光スクリプトの形式でビデオに基づくアンビエント照明データを受信してもよい。一実施形態においては、光スクリプトは、例えば、特定のビデオコンテンツに関連した光スクリプトを提供する光スクリプトオーサリングサービスにより、システムの外部で生成される。光スクリプトは、アクセス可能な外部ソース、例えば、インターネットのための無線又は有線コネクションから検索されてもよい。この実施形態においては、ビデオコンテンツ又はビデオコンテンツに関する媒体は、コンテンツの識別子を含んでもよく、及び／又は、コンテンツから識別子を直接認識可能にしてもよい。識別子は、ビデオコンテンツに対応する光スクリプトを検索するために利用されてもよい。他の実施形態においては、光スクリプトは、同一媒体上にオーディオビジュアルコンテンツとして記憶され又は提供されてもよい。この実施形態においては、対応する光スクリプトを検索するための識別子がなくてもよい。
【００１４】
他の実施形態においては、ビデオコンテンツは、動作１３０におけるビデオコンテンツに関連したビデオに基づくアンビエント照明データを生成するために処理されてもよい。処理は、ビデオコンテンツ又はこの部分の解析形式において、ビデオコンテンツをレンダリングする直前に実行されてもよく、又は、格納された若しくはアクセス可能なビデオコンテンツ上で実行されてもよい。参照により全体において本願に組み込まれるＰＣＴ特許出願番号ＷＯ２００４／００６５７０は、色相、彩度、輝度、色、場面変化のスピード、認識した文字、検出した雰囲気等のような、コンテンツの色特性に基づいてアンビエント照明効果を制御するためのシステム及びデバイスを開示している。動作において、システムは、受信したコンテンツを解析し、ビデオコンテンツの１又はそれ以上のフレームに渡る平均色のようなコンテンツの分布（distribution）を利用してもよく、又は、ビデオコンテンツに関連したビデオに基づくアンビエント照明データを生成するために、１又はそれ以上のフレームの境界に近接するビデオコンテンツの部分を利用してもよい。解析したビデオコンテンツにおける急速な変化によって生じる、ビデオに基づくアンビエント照明データにおける一時的な変化（temporal transition）を除去するために、時間的平均（temporal averaging）を利用してもよい。
【００１５】
国際特許出願番号ＩＢ２００６／０５３５２４はまた、ビデオコンテンツに関連したビデオに基づくアンビエント照明データを生成するためにビデオコンテンツを解析するシステムを開示している。この実施形態においては、ビデオコンテンツのピクセルは、インコヒーレントカラー（incoherent color）のピクセルが廃棄される一方で、コヒーレントカラー（coherent color）をそなえるピクセルを識別するために解析される。その後、コヒーレントカラーのピクセルは、ビデオに基づくアンビエント照明データを生成するために利用される。
【００１６】
ビデオコンテンツのヒストグラム解析、ビデオコンテンツの色領域の解析等を含むビデオに基づくアンビエント照明データを決定するための他の多数のシステムがある。当業者により容易に理解されるように、いかなるシステムも、本システムによるビデオに基づくアンビエント照明データを生成するために適用されてもよい。
【００１７】
ビデオに基づくアンビエント照明データは、１又はそれ以上のアンビエント照明エレメントの色相、彩度、輝度、色等のようなアンビエント照明特性を制御するためのデータを含んでもよい。例えば、本システムによる一実施形態においては、ビデオに基づくアンビエント照明データは、ビデオコンテンツに対応する１又はそれ以上のアンビエント照明エレメントの時間に依存する（time-dependent）カラーポイントを決定する。
【００１８】
動作１４０において、本システムは、オーディオコンテンツに関連したアンビエント照明データ（以下、オーディオに基づくアンビエント照明データという）を受信する。ビデオに基づくアンビエント照明データと同様に、オーディオに基づくアンビエント光スクリプトの形式でオーディオに基づくアンビエント照明データを受信してもよい。一実施形態においては、オーディオに基づく光スクリプトは、例えば、特定のオーディオコンテンツに関連した光スクリプトを提供する光スクリプトオーサリングサービスにより、システムの外部で生成される。光スクリプトは、アクセス可能な外部ソース、例えば、インターネットへの無線又は有線コネクションから検索されてもよい。この実施形態においては、オーディオコンテンツ又はオーディオコンテンツに関する媒体は、コンテンツの識別子を含んでもよく、及び／又は、コンテンツから識別子を直接認識可能にしてもよい。他の実施形態においては、オーディオコンテンツがオーディオビジュアルコンテンツのビデオコンテンツに一般的に対応する場合に、ビデオコンテンツから決定された識別子がオーディオに基づく光スクリプトを検索するために利用されてもよい。いずれにしても、識別子は、オーディオに基づくかビデオに基づくかに関わらず、オーディオコンテンツに対応する光スクリプトを検索するために利用されてもよい。一実施形態においては、オーディオに基づく光スクリプトは、例えば、オーディオビジュアルコンテンツが識別子を使用せずに格納される媒体からアクセス可能であってもよい。
【００１９】
他の実施形態においては、オーディオコンテンツは、動作１５０におけるオーディオコンテンツに関連したオーディオに基づくアンビエント照明データを生成するために処理されてもよい。処理は、オーディオコンテンツ又はこの部分の解析形式において、オーディオビジュアルコンテンツをレンダリングする直前に実行されてもよく、又は、格納された又はアクセス可能なオーディオコンテンツ上で実行されてもよい。オーディオに基づくアンビエント照明データを生成するためのオーディオ解析は、オーディオコンテンツの周波数、オーディオコンテンツの周波数範囲、オーディオコンテンツのエネルギ、オーディオコンテンツのビート、オーディオコンテンツのテンポ、及び容易に適用可能なオーディオコンテンツの特性を決定するための他のシステムの解析を含んでもよい。他の実施形態においては、周波数領域におけるオーディオヒストグラム解析のような、オーディオコンテンツのヒストグラム解析が利用されてもよい。解析したオーディオコンテンツにおいて急速な変化によって生じる、オーディオに基づくアンビエント照明データにおける一時的な変化を除去するために、時間的平均を利用してもよい。オーディオコンテンツの解析は、ｂｐｍ（beat per minute）、オーディオコンテンツのメジャー及びマイナーキー並びに絶対キーのようなキー、強さ、並びに／又はクラシカル、ポップ、ディスカッション、ムービーのような分類を含むオーディオコンテンツの他の特性を識別し、利用してもよい。更に、データは、自己のオーディオコンテンツから分離して解析される一方で、オーディオコンテンツに関連付けられるメタデータ（meta-data）のように、オーディオデータに関連付けられてもよい。当業者により容易に理解されるように、オーディオコンテンツの特性を識別するいかなるシステムも、本システムによるオーディオに基づくアンビエント照明データを生成するために適用されてもよい。
【００２０】
オーディオに基づくアンビエント照明データは、前述したビデオに基づくアンビエント照明特性と同様に、１又はそれ以上のアンビエント照明エレメントのダイナミクス（dynamics；例えば、輝度、彩度等）のようなアンビエント照明特性を制御するためのデータを含んでもよい。オーディオに基づくアンビエント照明データは、決定したビデオに基づくアンビエント照明特性と同様及び／又は補充のアンビエント照明特性を制御するためのデータを決定するために利用されてもよい。
【００２１】
動作１６０において、ビデオに基づくアンビエント照明データ及びオーディオに基づくアンビエント照明データは、組み合わせアンビエント照明データを形成するために組み合わせられる。一般的には、ビデオ及びオーディオコンテンツは、オーディオビジュアルコンテンツにおいて同期化される。このように、ビデオに基づくアンビエント照明データ及びオーディオに基づくアンビエント照明データは、時系列のデータとして提供される。従って、ビデオに基づくアンビエント照明データ及びオーディオに基づくアンビエント照明データの時間的な部分（temporal portion）は、オーディオビジュアルコンテンツと同期化される組み合わせアンビエント照明データを生成するために組み合わせられてもよく、及び、動作１７０においてレンダリングされてもよい。レンダリングの後、プロセスは、動作１８０において終了する。
【００２２】
本システムによる一実施形態においては、ビデオに基づくアンビエント照明データは、カラーポイントのようなアンビエント照明データの色特性を決定するために利用されてもよい。オーディオに基づくアンビエント照明データは、その後、ビデオで決定したカラーポイント（video-determined color point）のダイナミクスを調整する等、カラーポイントの調節に適用されてもよい。
【００２３】
例えば、ビデオに基づくアンビエント照明データが所与のアンビエント照明特性を所与の時間的な部分における所与のカラーポイントに設定するために決定するオーディオビジュアル列において、ビデオに基づくアンビエント照明データとの組み合わせにおけるオーディオに基づくアンビエント照明データが、対応するオーディオビジュアル列における低オーディオエネルギに基づいて、より薄暗い（例えば、明るさをより抑えた）色（dimmer color）になるように色を調整してもよい。同様に、ビデオに基づくアンビエント照明データがアンビエント照明特性を所与のカラーポイントに設定するために決定するオーディオビジュアル列において、オーディオコンテンツが、対応するオーディオビジュアル列における高オーディオエネルギに基づいて、より明るい色（brighter color）になるように色を調節してもよい。明らかに、ビデオに基づくアンビエント照明データ及びオーディオに基づくアンビエント照明データを組み合わせるための他のシステムは、当業者により想到することができるとともに、本システム及び添付のクレームの範囲内であることが理解されるべきである。このように、組み合わせアンビエント照明データは、レンダリングされたオーディオ及び対応するビデオコンテンツの双方に応答するための１又はそれ以上のアンビエント照明エレメントを制御するために利用されてもよい。本システムによる一実施形態においては、ユーザは、それぞれのオーディオ及びビデオコンテンツが持つ、組み合わせアンビエント照明データ上の影響を調整してもよい。例えば、ユーザは、オーディオに基づくアンビエント照明データが、組み合わせアンビエント照明データを決定する場合において、ビデオに基づくアンビエント照明データに対してより抑えた又はより大きな効果を持つことを決定してもよい。
【００２４】
更なる実施形態においては、オーディオコンテンツ及びビデオコンテンツは、オーディオビジュアルコンテンツとして予め配列されていない別個のコンテンツであってもよい。例えば、イメージ又はビデオ列が、イメージ又はビデオ列においてレンダリングすることを意図したオーディオコンテンツを持ってもよい。本システムにあっては、ビデオに基づくアンビエント照明データは、前述したオーディオビジュアルコンテンツと同様に、オーディオに基づくアンビエント照明データにより調節されてもよい。更なる実施形態においては、複数のオーディオ部分が、ビデオコンテンツとともにレンダリングするために提供されてもよい。本システムにあっては、１及び／又は他のオーディオ部分が、オーディオに基づくアンビエント照明データを決定するために利用されてもよい。
【００２５】
図１は、個別に受信されたビデオに基づくアンビエント照明データ及びオーディオに基づくアンビエント照明データを示しているが、それぞれが個別に受信される必要がないことは明らかである。例えば、受信したアンビエント光スクリプトが、オーディオビジュアルコンテンツのオーディオ及びビジュアル特性の双方に基づいて決定されることで生成されてもよい。更に、動作１３０及び１５０は、組み合わせたアンビエント照明データが、ビデオに基づくアンビエント照明データ及びオーディオに基づくアンビエント照明データを個別に生成してその後組み合わせることなく直接生成されるように、実質的に同時に供されてもよい。他のバリエーションは、当業者により容易に想到することができ、本システムの範囲に含まれることを意味する。
【００２６】
本システムによる実施形態においては、ビデオに基づくアンビエント照明データ及びオーディオに基づくアンビエント照明データの組み合わせにおいて、オーディオに基づくアンビエント照明データは、オーディオに基づくアンビエント照明特性を、ビデオに基づくアンビエント照明データについて前述したのと同様に決定するために利用されてもよく、その後にビデオに基づくアンビエント照明データにより調節される。例えば、一実施形態においては、オーディオに基づくアンビエント照明データの特性がアンビエント照明の特性にマッピングされてもよい。このように、オーディオデータの所与の複数のｂｐｍのようなオーディオの特性がアンビエント照明の所与の色にマッピングされてもよい。例えば、決定したアンビエント照明色がｂｐｍの範囲にマッピングされてもよい。当然に、オーディオ及びアンビエント照明の他の特性が容易に、同様にマッピングされてもよい。
【００２７】
更に他の実施形態においては、ビデオに基づくアンビエント照明特性は、当業者により容易に理解されるようなＶＵメータプレゼンテーション（VU meter presentation）と同様に、オーディオに基づくパターンがビデオに基づくアンビエント特性から決定された色を利用して生成されるように調節されてもよい。例えば、ピクセル化されたアンビエント照明システムにおいて、ピクセル化されたアンビエント照明システムの個々の部分が、オーディオに基づくアンビエント照明データにより調節されてもよい。ＶＵメータプレゼンテーションにおいて、プレゼンテーションのオーディオ調節が、アンビエント照明システムにおける下の部分（bottom portion）から上向きに進行するように提供されてもよく、又は、その逆（例えば、上から下向きに進行する）が提供されてもよい。更に、進行は、アンビエント照明システムの、左から右、又は中心部分から外方であってもよい。
【００２８】
更に理解されるように、オーディオに基づくアンビエント照明データは、左のデータ、右のデータ、中心のデータ、後方左のデータ、後方右のデータ等を含むオーディオデータの異なるチャネルに関して通常異なってもよいので、それぞれのこれらの位置的なオーディオデータ部分（positional audio-data portion）、又はこれらのパーツは、ビデオに基づくアンビエント照明データ及び特性との組み合わせにおいて容易に利用されてもよい。例えば、ディスプレイの左側の表示を意味するビデオに基づくアンビエント照明特性の部分は、オーディオに基づくアンビエント照明データの左チャネルと組み合わせられてもよい一方で、ディスプレイの右側の表示を意味するビデオに基づくアンビエント照明特性の部分は、オーディオに基づくアンビエント照明データの右チャネルと組み合わせられてもよい。ビデオに基づくアンビエント照明データの部分及びオーディオに基づくアンビエント照明データの部分の他の組み合わせを容易に適用してもよい。
【００２９】
図２は、本システムの実施形態によるデバイス２００を示している。デバイスは、メモリ２２０、ビデオレンダリングデバイス（例えば、ディスプレイ）２３０、オーディオレンダリングデバイス（例えば、スピーカ）２８０、アンビエント照明エレメント２５０、２６０、Ｉ／Ｏ２４０、及びユーザ入力デバイス２７０に操作上結合されたプロセッサ２１０を持つ。メモリ２２０は、アプリケーションデータや、アンビエント照明データ、オーディオデータ、ビデオデータ、マッピングデータ等のような他のデータを格納するためのいかなる種類のデバイスであってもよい。アプリケーションデータ及び他のデータは、プロセッサ２１０が本システムによる動作を実行するために、プロセッサ２１０により受信される。動作は、コンテンツをレンダリングするためにディスプレイ２３０の少なくとも１つを制御すること、及び、本システムによるアンビエント照明効果を表示するために１又はそれ以上のアンビエント照明エレメント２５０、２６０を制御することを含む。ユーザ入力デバイス２７０は、キーボード、マウス、又はタッチセンサ式のディスプレイを含むその他のデバイスを含んでもよく、スタンドアローンであってもよく、又は、有線又は無線リンクのようないずれかの種類のリンクを介してプロセッサと通信するための、パーソナルコンピュータ、携帯端末、及びテレビジョンのような表示装置の一部のようなシステムの一部であってもよい。明らかに、プロセッサ２１０、メモリ２２０、ディスプレイ２３０、アンビエント照明エレメント２５０、２６０、及び／又はユーザ入力デバイス２７０は、全体的に又は部分的に、スタンドアローンテレビジョンのようなテレビジョンプラットフォームの一部分であってもよく、スタンドアローンデバイスであってもよい。
【００３０】
本システムの方法は、コンピュータソフトウェアプログラムによる実行に特に適しており、このコンピュータソフトウェアプログラムは、好ましくは、方法の個々のステップ又は動作に対応するモジュールを含んでいる。このソフトウェアは、当然に、ＩＣ、周辺機器、メモリ３２０のようなメモリ、又はプロセッサ３１０に結合された他のメモリのような、コンピュータ読み取り可能な媒体において具体化される。
【００３１】
コンピュータ読み取り可能な媒体及び／又はメモリ３２０は、いかなる読み取り可能な媒体（例えば、ＲＡＭ、ＲＯＭ、リムーバルメモリ、ＣＤ−ＲＯＭ、ハードディスクドライブ、ＤＶＤ、フロッピー（登録商標）ディスク、又はメモリカード）であってもよく、又は、伝送媒体（例えば、光ファイバ、ワールドワイドウェブ、ケーブル、又は時分割多重アクセス、符号分割多重アクセス、若しくは他のラジオ周波数チャネルを用いる無線チャネルを有するネットワーク）であってもよい。コンピュータシステムでの使用に適合した情報を提供可能な既知の又は開発されたいかなる媒体も、コンピュータ読み取り可能な媒体及び／又はメモリ２２０として用いることができる。
【００３２】
また、追加のメモリが用いられてもよい。コンピュータ読み取り可能な媒体、メモリ２２０、及び／又はいかなる他のメモリも、長期、短期、又は長期と短期との組み合わせのメモリであってもよい。これらのメモリは、ここで開示された方法、動作、及び機能を実行するためのプロセッサ２１０を設定する。メモリは、追加のプロセッサが提供された場合に、ローカル及びプロセッサ２１０に割り当てられてもよく、又は、例えば、アンビエント照明エレメントの範囲内に基づくように割り当てられてもよく、単数であってもよい。メモリは、電気、磁気、光学のメモリ、これらのいずれかの組み合わせ又は他の種類のストレージデバイスとして実装されてもよい。更に、"メモリ"という用語は、プロセッサによりアクセスされたアドレス可能空間におけるアドレスの読み出し又は書き込み可能ないかなる情報をも包含するように充分に広く解釈すべきである。この定義により、プロセッサ２１０は、本システムに従った動作のためにネットワークから情報を検索してもよいので、例えば、ネットワーク上の情報がメモリ２２０内にある。
【００３３】
プロセッサ２１０は、制御信号を供給すること、及び／又は、ユーザ入力デバイス２７０からの入力信号に応じて動作を実行すること、及び、メモリ２２０に格納された命令を実行することが可能である。プロセッサ２１０は、アプリケーション特有の又は汎用の集積回路であってもよい。更に、プロセッサ２１０は、本システムに従って実行するための専用のプロセッサであってもよく、又は、多目的のプロセッサであってもよく、この場合には、多くの機能のうちの一つだけが、本システムに従って実行するために動作する。プロセッサ２１０は、プログラムポーション、複数のプログラムセグメントを利用して動作してもよく、又は、専用の若しくは多目的の集積回路を利用するハードウェアデバイスであってもよい。
【００３４】
Ｉ／Ｏ２４０は、コンテンツ識別子を転送するために、１又はそれ以上の光スクリプトを受信するために、及び／又は前述した他の動作のために利用されてもよい。
【００３５】
当然に、前述の実施形態又はプロセスのうちいずれかが、１又はそれ以上の他の実施形態又はプロセッサを組み合わせてもよく、又は、本システムに従って分割されてもよいことが理解される。
【００３６】
最後に、前述した議論は、本システムの単なる例示であることを意味し、特定の実施形態又は実施形態の集合のいずれによっても特許請求の範囲を限定して解釈すべきではない。このように、本システムが、例となる実施形態を参照しながら説明している一方で、また、多くの改良の又は代替の実施形態が、特許請求の範囲において説明するような広範囲の及び対象となる思想及び本システムの範囲から離れることなく当業者により発案されてもよいことが理解されるべきである。従って、詳細な説明及び図面は、例示の態様であると見なされ、特許請求の範囲を限定することを意味しない。
【００３７】
特許請求の範囲の解釈においては、
（ａ）"有する"という用語は、所与の特許請求の範囲において記載されたもの以外の他のエレメント又は動作の存在を除外しない。
（ｂ）エレメントの単数表記は、これらの要素の複数の存在を除外しない。
（ｃ）特許請求の範囲における如何なる参照符号も、特許請求の範囲を限定しない。
（ｄ）いくつかの"手段"は、同じアイテム若しくはハードウェア又は構造若しくは機能を実装したソフトウェアにより表わされてもよい。
（ｅ）いかなる開示のエレメントも、ハードウェア部分（例えば、分離した及び統合した電子回路を含む）、ソフトウェア部分（例えば、コンピュータプログラム）、及びこれらのいずれかの組み合わせを有してもよい。
（ｆ）ハードウェア部分は、アナログ及びデジタル部分のうちの１つ又は双方を有してもよい。
（ｇ）いかなる開示のデバイス又は部分に関しても、別段の定めをした場合を除き、更なる部分を組み合わせてもよく、又は分割してもよい。
（ｈ）特に指示された場合を除き、特定の一連の動作又はステップが要求されることを意味するものではない。
と理解されるべきである。
【図面の簡単な説明】
【００３８】
【図１】本システムの実施形態によるフローダイアグラムを示す図である。
【図２】本システムの実施形態によるデバイスを示す図である。
【図１】
2009531825.tif 000003
【図２】
2009531825.tif 000004
【国際調査報告】
2009531825.tif 000005
2009531825.tif 000006
2009531825.tif 000007